(57)【要約】【課題】  傷つき易いイチゴような高級小果物類を収納したパック容器を縁枠に簡便に固定可能とした食品用簡易容器の提供。【解決手段】  内周面に条溝２２を形成した縁枠２を、売り場に配列されたイチゴを収納したパック容器１の上から、容器１の外周面を覆うように押し下げることによって、パック容器１の突出周縁１１は、縁枠２の内面上を上昇し、縁枠２の条溝２２に達したとき、条溝２２内に挿入することによって、パック容器１に収納されたイチゴは何ら縁枠にも作業員にも触れられることはなく、突出周縁１１は縁枠２の条溝２２内に係止され、いちごを収納した容器１は縁枠２と一体化される。【選択図】  図１
2006182428.tif 000002
【特許請求の範囲】
【請求項１】
食品を収納したパック容器の上方から縁枠を押し込み装着可能とした食品包装用容器。
【請求項２】
縁枠の全内周面に、食品を収納した透明パック容器の上縁外方突出部を挿入係止する条溝が形成されている請求項１に記載の食品包装用容器。
【請求項３】
縁枠が、生産現場または展示販売現場において展開した折り畳み縁枠である請求項１に記載の食品包装用容器。
【請求項４】
パック容器の上縁外方突出部を長く形成し、縁枠の全内周面に形成されている条溝に挿入係止を容易にした請求項２に記載の食品包装用容器。
【請求項５】
上縁外方突出部を、パック容器のコーナー部において少なくとも部分的に切欠いて形成した請求項４に記載の食品包装用容器。
【発明の詳細な説明】
【技術分野】
【０００１】
本発明は、プラスチックス製の食品包装用容器、とくに、いちご等の果物の収納に適した内容物が確認できる透明のプラスチックス製パックを納めた食品包装用容器に関する。
【背景技術】
【０００２】
通常、イチゴのように新鮮さによって市場価値が左右される高級果物類は、透明のパックに詰め、さらに、この透明パックを周囲に発泡プラスチック樹脂や紙製等の外枠に納めて、収納物の保護と高級感を引き出すようにし、さらに、縁枠の外側には、様々な模様や絵等をつけて販売されている。
【０００３】
ところが、この縁枠を透明パックの周囲に配置しただけのものでは、持ち運びに際して、外容積が大きくなり、自宅あるいは贈り先に持参する際には、不便であり、結局は高級感が失われた透明パックに収納されたまま持ち運びされることになる。
【０００４】
このため、透明パックと外枠を一体化して、美観を保ち、内容物が痛まないような簡易食品包装用容器の開発が試みられるようになった。
【０００５】
このような、透明パックと外枠を一体化する手段として、例えば、下記特許文献に記載されているように、内容器としての底板を上縁外側に張り出させて、この張り出し部分を枠材の上縁に係合あるいは嵌合する方式のものを適用することも考えられる。
【０００６】
しかしながら、これらの手段をイチゴ等を収納したパック容器に適用する際には、縁枠を固定してパック容器を持ち上げて、これを縁枠内に押し込む必要があり、その際、パック容器内に収納された内容物を傷つけるおそれがあり、傷つけないようにするためには相当の手間を要することになる。
【特許文献１】特開平１１−１９３０１５号公報
【特許文献２】特開平１０−０７７０３２号公報
【特許文献３】特開２０００−６２８４５号公報
【発明の開示】
【発明が解決しようとする課題】
【０００７】
本発明が解決しようとする課題は、傷つき易いイチゴような高級小果物類を収納した透明パック容器を縁枠に簡便に固定可能とした食品用簡易容器を提供することにある。
【課題を解決するための手段】
【０００８】
本発明は、高級小果物を収納した透明パック容器を陳列棚のような台上に載置した状態で、発泡プラスチックス製、木製、紙製などの縁枠を透明パック容器の上方から嵌め込み、装着固定可能とした食品包装用簡易容器である。
【０００９】
通常の透明パック容器は、数十μｍオーダーの薄い透明プラスチックスを特定形状に一体成形したもので、その容器の上縁外周には５ｍｍ程度のヒレ状の突条を有する。この突条は弾性を有しており、これに、発泡プラスチックス製の縁枠を嵌合したとき、突条と発泡プラスチックス製の縁枠の内面の弾性を利用して、縁枠を透明パック容器の上方から嵌め込んだだけで、食品内容物を収納した透明パック容器を縁枠に係止し、固定することが可能となる。
【００１０】
この縁枠を透明パック容器に係止固定するための手段は、縁枠の内径を透明パック容器の大きさとの関係で調整することによって、そのままでも係合固定可能であるが、パック容器の上縁外周突条が挿着する条溝を縁枠の内側上部に設けることによって、縁枠の内径とパック容器の大きさを厳密に調整することなく、縁枠をパック容器の上方から軽く押し込むだけで、縁枠をパック容器の外周面に固定できる。
【００１１】
さらに、透明パック容器を既成品に代えて、本発明の食品包装用簡易容器用として特別に作成することができる。
【００１２】
例えば、パック容器の上縁の外周に設けた突条を外方に長く形成しその弾力を大きくすることによって、縁枠をパック容器の上方から嵌め込むに当たって、縁枠の内側上部に設けた条溝内に挿入し易くすることができる。
【００１３】
さらには、外周に設けた突条をパック容器のコーナー部に切欠けを形成することによって、パック容器の上縁の外周に設けた突条の弾力をさらに利用できるようにすることもできる。
【発明の効果】
【００１４】
スーパー、店舗等のユーザー先で、手間を要することなく、縁枠を設けた透明パック容器からなる包装用食品簡易容器とすることができる。
【００１５】
いちご等を収納した透明パック容器に触れることなく縁枠に固定できるので、縁枠内に固定された透明パック内の収納物を傷つけることことがない。
【００１６】
縁枠には様々な絵や模様をほどこし、付加価値をつけ、さらに、高級感等を出すことができる。
【００１７】
店頭に展示する場合、また、店に移送する場合、外枠を内容物より高くすれば、段積みしても収容内容物が痛まないようにでき、展示効率、搬送効率を上げることができる。  
【発明を実施するための最良の形態】
【００１８】
以下、本発明の実施の形態を高級イチゴのパック容器に適用した実施例に基いて説明する。
【実施例】
【００１９】
図１は、本発明の簡易組立容器の組立て要領を示す図である。
【００２０】
同図において、イチゴを収納したパック容器１は、通常、店頭販売に供されているポリスチレン製の一体成形品であり、展示台の上に載置した状態を示す。その透明容器１は、平均厚みが０．２〜０．３ｍｍのポリスチレン製の一体成形品で、高さが４０ｍｍ、上部長辺側の外縁間の長さが１７０ｍｍで、上部短辺側の外縁間の長さが１１５ｍｍであった。
【００２１】
この透明パック容器１には、上周縁の外側に５ｍｍ幅の突出周縁１１が形成されており、本実施例においては、この突出周縁１１を縁枠２に装着する際の係止機構として利用する。
【００２２】
２として示す縁枠は、図２に示す折り畳み縁枠２０を展開したものである。この折り畳み縁枠２０は、特開２００３−１１９６５１号公報に開示されているもので、本実施例の場合、厚さ５ｍｍ、幅が４０ｍｍのポリスチレン製発泡樹脂の帯状材に、上記パック容器１の平面から見た外形サイズに応じて、各角部に相当する４箇所に楔状の折り目２１を形成し、この帯状材の両端を接合してリング状とし折り畳んだもので、折り目２１のＶ形の折り曲げ溝の角度は、６５〜７０度のものを使用している。この折り畳み縁枠２０は、搬送に際して嵩張ることがなく、輸送効率を上げることができる。そして、イチゴの生産又は販売現場まで多数搬送し、現場で縁枠２に展開して使用に供される。
【００２３】
図１に戻って、本実施例においては、縁枠２には、パック容器１の突出周縁１１を挿入係止するための条溝２２が形成されている。
【００２４】
この条溝２２は、いちご収納容器１を縁枠２内に挿入した際の突出周縁１１の位置に相当する縁枠２の内周面の全周にわたって穿設されている。
【００２５】
この条溝２２の断面形状は格別の形状である必要はなく、いちご収納容器１の突出周縁１１を挿入した際、係止できる溝であれば良く、その幅は３ｍｍ程度、深さは２ｍｍ程度もあれば十分である。
【００２６】
このように、条溝２２を形成した縁枠２を、売り場に配列されたイチゴを収納したパック容器１の上から、容器１の外周面を覆うように押し下げることによって、パック容器１の突出周縁１１は、縁枠２の内面上を上昇し、縁枠２の条溝２２に達したとき、条溝２２内に挿入し係止されることになる。
【００２７】
図３は、縁枠２を載置されているパック容器１に装着する際のパック容器１の突出周縁１１が縁枠２の条溝２２に挿入係止される状態を示す。
【００２８】
同図に示すように、載置あるいは固定したパック容器１の外面に沿って、縁枠２を上方から押し込むようにしてパック容器１の突出周縁１１を縁枠２の条溝２２内に挿入係止させることによって、パック容器１に収納されたイチゴは何ら縁枠にも作業員にも触れられることはなく、図４に示すように、突出周縁１１は縁枠２の条溝２２内に係止され、いちごを収納した容器１は縁枠２と一体化される。
【００２９】
図５は、組立て後の完成容器１０の外観を示すもので、従来の透明のポリスチレン容器内に収納されたままの状態のものから、縁枠付きの容器内に収まった状態とすることができ、しかも、通常の食品用簡易容器に収納された状態のものと同様の状態で持ち運びができる。
【００３０】
上記図３と図４に示すパック容器１の突出周縁１１を縁枠２の条溝２２内に挿入係止させるための機構としては種々の形態のものが利用できる。
【００３１】
その形態の一つとして、パック容器１の突出周縁１１を縁枠２の条溝２２内に挿入係止し易い形状とすることができる。
【００３２】
図６は、パック容器１の突出周縁１１のバネ機能を利用し易いように長くし、パック容器の各コーナー部に切欠け１２を形成し、これによって突出周縁１１のバネ機能をさらに利用し易くした例を示す。図７（ａ）は、パック容器１の突出周縁１１と、縁枠２に形成した条溝２２を断面によって示し、同図（ｂ）は、その係止状態を示す。この例は、パック容器１の突出周縁１１のバネ機能を利用し易すくするとともに、係止をより完全なものとしたもので、同図（ｂ）に示すように、楔状態で係止される。
【００３３】
図８（ａ）の例は、突出周縁１１のバネ機能をさらに利用し易くする係止構造の他の例を示す。この例は、縁枠２を上方から押し込む際の係止をより簡単に行うためのものであるが、同図（ｂ）に示す状態で突出周縁１１は条溝２２内で係止されて、パック容器１と縁枠２は一体化される。
【産業上の利用可能性】
【００３４】
上記の実施例においては、いちごの収納容器に例を挙げて説明したが、いちご類に限らず、本来、一体成形のパックあるいは薄いプラスチック容器に収納され持ち運びされる果物、加工食品等の容器にも適用できる。
【図面の簡単な説明】
【００３５】
【図１】本発明の簡易組立容器の組立て部材を示す図である。
【図２】本発明の簡易組立容器のための縁枠として使用した折り畳み縁枠を示す。
【図３】本発明の簡易組立容器の組立て要領を示す。
【図４】組立て後の容器の断面を示す。
【図５】組立て後の容器の外観を示す。
【図６】縁枠とパック容器の係止機構の他の例を示す。
【図７】図６に示す係止機構の断面を示す。
【図８】縁枠とパック容器の係止機構のさらに他の例を示す。
【符号の説明】
【００３６】
１  パック容器
１１  周縁の突条    １２  周縁の突条の切欠け部
２  縁枠
２０  折り畳み縁枠    ２１  折り目      ２２  条溝
【図１】
2006182428.tif 000003
【図２】
2006182428.tif 000004
【図３】
2006182428.tif 000005
【図４】
2006182428.tif 000006
【図５】
2006182428.tif 000007
【図６】
2006182428.tif 000008
【図７】
2006182428.tif 000009
【図８】
2006182428.tif 000010